【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【請求項１】  複数の撮影モードの設定を行うモード設定手段と、静止画撮影を行うための２段階操作可能な第１のトリガー手段と、動画撮影を行うための第２のトリガー手段と、第１、第２の発光部とを有する撮像装置において、
前記モード設定手段は、前記第１のトリガー手段の第１段階操作による第１の信号が検出されると第１の発光部の継続発光を行い、前記第１のトリガー手段の第２段階操作による第２の信号が検出されると前記第１の発光部の発光を停止させ第２の発光部を閃光発光させるとともに静止画撮影を行う第１の撮影モードと、
前記第２のトリガー手段の操作による信号が検出されると前記第１の発光部の継続発光を開始するとともに、動画撮影を開始する第２の撮影モードとを、選択可能であることを特徴とする撮像装置。
【請求項２】  前記モード設定手段は、前記第１のトリガー手段の第１段階操作による第１の信号が検出されても前記第１の発光部の継続発光を行わず、前記第１のトリガー手段の第２段階操作による第２の信号が検出されると前記第２の発光部を閃光発光させて静止画像撮影を行う第３の撮影モードを設定可能であることを特徴とする請求項１に記載の撮像装置。
【請求項３】  静止画撮影と動画撮影とが可能な撮像装置において、
動画撮影時に継続発光が可能な第１の発光部と、
静止画撮影時に閃光発光が可能な第２の発光部と、
前記第１の発光部と前記第２の発光部を制御する制御部とを有し、
前記制御部は所定の静止画撮影モードが設定されたときは、静止画撮影に同調して前記第２の発光部を閃光発光させると共に、前記閃光発光の前に前記第１の発光部を継続発光させることを特徴とする撮像装置。
【請求項４】  前記制御回路は、前記第１の発光部の継続発光を停止させてから、前記第２の発光部を閃光発光させることを特徴とする請求項３に記載の撮像装置。
【請求項５】  継続発光可能な第１の発光部と閃光発光可能な第２の発光部を有する照明装置と通信可能であり、前記照明装置に信号を送信することで前記照明装置の発光を制御可能な撮像装置において、
前記第１の発光部と前記第２の発光部に発光指令の信号を送信する制御部を有し、
前記制御部は、所定の動画撮影モードが選択されたときは、前記照明装置に前記第１の発光部に継続発光を行わせるための信号を送信し、所定の静止画撮影モードが選択され、所定の静止画撮影用の開始操作がされたときは、前記照明装置に前記第１の発光部を継続発光させる信号を送信してから静止画撮影に同調して発光する前記第２の発光部を発光させる信号を送信することを特徴とする撮像装置。
【請求項６】  請求項１に外付けストロボを適用
静止画撮影開始を行うための２段階操作可能な第１のトリガー部材と動画撮影を行う第２のトリガー部材を有する撮像装置と通信可能であり、前記撮像装置から送信される信号に基づいて発光を行う照明装置において、
継続発光可能な第１の発光部と、
閃光発光可能な第２の発光部と、
前記第１の発光部と前記第２の発光部を制御する制御部とを有し、
前記制御部は、前記撮像装置から前記第１のトリガー部材の第１段階操作に応じた第１の信号を受信すると前記第１の発光部に継続発光を行わせ、前記第１のトリガー部材の第２段階操作に応じた第２の信号を受信すると前記第１の発光部に継続発光を停止させ前記第２の発光部に閃光発光を行わせると共に、前記撮像装置から第２のトリガー部材の操作に応じた信号を受信すると第１の発光部の継続発光を開始又は停止させることを特徴都する照明装置。
【請求項７】  静止画撮影と動画撮影とが可能な撮像装置と通信可能であり、前記撮像装置から送信される信号に基づいて発光を行う照明装置において、
動画撮影時に継続発光が可能な第１の発光部と、
静止画撮影時に閃光発光が可能な第２の発光部と、
前記第１の発光部と前記第２の発光部を制御する制御部とを有し、
前記撮像装置に所定の静止画撮影モードが設定されたときは、前記制御部は静止画撮影に同調して発光する前記第２の発光部を閃光発光させると共に、前記第１の発光部を継続発光させることを特徴とする照明装置。
【手続補正２】
【補正対象書類名】明細書
【補正対象項目名】０００１
【補正方法】変更
【補正の内容】
【０００１】
【発明の属する技術分野】
本発明は、動画撮影および静止画撮影が可能なビデオカメラ等の撮像装置、あるいは、この撮像装置からの指令によって発光を行う照明装置に関するものである。
【手続補正３】
【補正対象書類名】明細書
【補正対象項目名】００１０
【補正方法】変更
【補正の内容】
【００１０】
【課題を解決するための手段】
上記課題を解決するため、本発明は、複数の撮影モードの設定を行うモード設定手段と、静止画撮影を行うための２段階操作可能な第１のトリガー手段と、動画撮影を行うための第２のトリガー手段とを有する撮像装置において、
第１、第２の発光部と、
前記モード設定手段は、前記第１のトリガー手段の第１段階操作による第１の操作信号が検出されると前記第１の発光部の発光を開始し、前記第１のトリガー手段の第２段階操作による第２の操作信号が検出されると前記第１の発光部の発光を停止させ前記第２の発光部を閃光発光させるとともに静止画撮影を行う第１の撮影モードと、
前記第２のトリガー手段による操作信号が検出されると前記第１の発光部の発光を開始するとともに動画撮影を開始する第２の撮影モードとを、選択可能であることを特徴とする。
また、静止画撮影と動画撮影とが可能な撮像装置において、
動画撮影時に継続発光が可能な第１の発光部と、
静止画撮影時に閃光発光が可能な第２の発光部と、
前記第１の発光部と前記第２の発光部を制御する制御部とを有し、
前記制御部は所定の静止画撮影モードが設定されたときは、静止画撮影に同調して前記第２の発光部を閃光発光させると共に、前記閃光発光の前に前記第１の発光部を継続発光させることを特徴とする。
また、継続発光可能な第１の発光部及び閃光発光可能な第２の発光部を有する照明装置と通信可能であり、前記照明装置に信号を送信することで前記照明装置の発光を制御可能な撮像装置において、
前記第１の発光部と前記第２の発光部に発光指令の信号を送信する制御部を有し、
前記制御部は、所定の動画撮影モードが選択され所定の動画撮影用の開始操作がされたときは、前記照明装置に前記第１の発光部に継続発光を行わせるための信号を送信し、所定の静止画撮影モードが選択され所定の静止画撮影用の開始操作がされたときは、前記照明装置に前記第１の発光部を継続発光させる信号を送信してから静止画撮影に同調して発光する前記第２の発光部を発光させる信号を送信することを特徴とする。
また、静止画撮影開始を行うための２段階操作可能な第１のトリガー部材と動画撮影を行う第２のトリガー部材を有する撮像装置と通信可能であり、前記撮像装置から送信される信号に基づいて発光を行う照明装置において、
継続発光可能な第１の発光部と、
閃光発光可能な第２の発光部と、
前記第１の発光部と前記第２の発光部を制御する制御部とを有し、
前記制御部は、前記撮像装置から前記第１のトリガー部材の第１段階操作に応じた第１の操作信号を受信すると前記第１の発光部に継続発光を行わせ、前記第１のトリガー部材の第２段階操作に応じた第２の操作信号を受信すると前記第１の発光部に継続発光を停止させ前記第２の発光部に閃光発光を行わせると共に、前記撮像装置から第２のトリガー部材の操作に応じた操作信号を受信すると第１の発光部の継続発光を開始又は停止させることを特徴とする。
また、静止画撮影及び動画撮影が可能な撮像装置と通信可能であり、前記撮像装置から送信される信号に基づいて発光を行う照明装置において、
動画撮影時に継続発光が可能な第１の発光部と、
静止画撮影時に閃光発光が可能な第２の発光部と、
前記第１の発光部と前記第２の発光部を制御する制御部とを有し、
前記撮像装置に所定の静止画撮影モードが設定されたときは、前記制御部は静止画撮影に同調して前記第２の発光部を閃光発光させると共に、前記閃光発光の前に前記第１の発光部を継続発光させることを特徴とする。
動画撮影時に継続発光させる照明を用いて、静止画撮影時のプリ発光を行わせるため、赤目緩和用の照明をわざわざ別途設ける必要がなく、閃光発光可能な第２の発光部のエネルギー蓄積手段を大型化させる必要もなくなる。
尚、この第１の発光部と第２の発光部は撮像装置に内蔵されたものであっても、撮像装置本体に外付けされた照明装置に備えられたものであっても構わない。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００５９
【補正方法】変更
【補正の内容】
【００５９】
【発明の効果】
以上のように、動画撮影用の発光部によって、静止画撮影直前に被写体を照射することにより、赤目緩和を行うことができると共に、静止画撮影用の閃光装置のための発光エネルギーを有効に活用することができる。これにより、従来の閃光装置を静止画撮影前にプリ発光させて赤目緩和するものに比べて、例えばコンデンサの容量を小さくしたり、発光制御回路を簡略化したりすることができるため、コストを下げることができる。また、例えばコンデンサ自体の大きさを小さくできるため、照明装置や本体の大きさを小型化することができる。
【手続補正８】
【補正対象書類名】明細書
【補正対象項目名】００６０
【補正方法】変更
【補正の内容】
【００６０】
また、静止画撮影前に継続発光できるため、赤目緩和効果が高くなる。また、低照度下で静止画撮影する場合でも被写体を継続発光できるため、構図が決めやすくなる効果も得られる。
【手続補正９】
【補正対象書類名】明細書
【補正対象項目名】００６１
【補正方法】変更
【補正の内容】
【００６１】
また、従来の閃光発光部を静止画撮影前にプリ発光させるものでは、プリ発光の瞬間に撮影者や被写体が撮影終了と勘違いして、撮影完了前に動いてしまうなどの撮影ミスも回避できるようになる。